【手続補正書】
【提出日】平成20年2月4日(2008.2.4)
【手続補正１】
【補正対象書類名】明細書
【補正対象項目名】特許請求の範囲
【補正方法】変更
【補正の内容】
【特許請求の範囲】
【請求項１】  式（Ｉ）：
【化１】
2001270894.tif 000001
（式中、
Ａｒは、下記式：
【化２】
2001270894.tif 000002
の基；あるいはＡｒは、シクロペンチル、シクロヘキシル、ナフチル、ビフェニリル、アントラシル、あるいはＯ−、Ｓ−若しくはＮ−含有の５−又は６−員複素環であり、ここで、基シクロペンチル、シクロヘキシル、ナフチル、ビフェニリル、アントラシル、あるいはＯ−、Ｓ−若しくはＮ−含有の５−又は６−員複素環は、非置換又はハロゲン、Ｃ1−Ｃ4アルキル及び／又はＣ1−Ｃ4アルコキシにより置換されており；
Ｒ1及びＲ2は、互いに独立して、Ｃ1−Ｃ20アルキル、ＯＲ11、ＣＦ3又はハロゲンであり；
Ｒ3、Ｒ4及びＲ5は、互いに独立して、水素、Ｃ1−Ｃ20アルキル、ＯＲ11又はハロゲンであるか；あるいはそれぞれの場合に、基Ｒ1、Ｒ2、Ｒ3、Ｒ4及び／又はＲ5の二つは、一緒になって、Ｃ1−Ｃ20アルキレン（これは、Ｏ、Ｓ又はＮＲ14により中断されていることができる）を形成し；
Ｒ6、Ｒ7、Ｒ8、Ｒ9及びＲ10は、互いに独立して、水素、Ｃ1−Ｃ20アルキル；Ｃ2−Ｃ20アルキル（これは、非連続のＯ原子により１回以上中断され、ＯＨ及び／又はＳＨにより置換されていることができる）であるか；あるいはＲ6、Ｒ7、Ｒ8、Ｒ9及びＲ10は、ＯＲ11、フェニル又はハロゲンであり；
Ｒ11は、水素、Ｃ1−Ｃ20アルキル、Ｃ2−Ｃ20アルケニル、Ｃ3−Ｃ8シクロアルキル、フェニル、ベンジル又はＣ2−Ｃ20アルキル（これは、Ｏ又はＳにより１回以上中断され、非置換又はＯＨ及び／又はＳＨにより置換されている）であり；
Ｒ14は、水素、フェニル、Ｃ1−Ｃ12アルキル又はＣ2−Ｃ12アルキル（これは、Ｏ又はＳにより１回以上中断され、ＯＨ及び／又はＳＨにより置換されていることができる）であり；そして
Ｍは、水素、Ｌｉ、Ｎａ又はＫである）で示される化合物。
【請求項２】  式（II）：
【化３】
2001270894.tif 000003
（式中、
Ａは、Ｏ又はＳであり；
ｘは、０又は１であり；
Ａｒは、下記式：
【化４】
2001270894.tif 000004
の基；あるいはＡｒは、シクロペンチル、シクロヘキシル、ナフチル、ビフェニリル、アントラシル、あるいはＯ−、Ｓ−若しくはＮ−含有の５−又は６−員複素環であり、ここで、基シクロペンチル、シクロヘキシル、ナフチル、ビフェニリル、アントラシル、あるいはＯ−、Ｓ−若しくはＮ−含有の５−又は６−員複素環は、非置換又はハロゲン、Ｃ1−Ｃ4アルキル及び／又はＣ1−Ｃ4アルコキシにより置換されており；
Ｒ1及びＲ2は、互いに独立して、Ｃ1−Ｃ20アルキル、ＯＲ11、ＣＦ3又はハロゲンであり；
Ｒ3、Ｒ4及びＲ5は、互いに独立して、水素、Ｃ1−Ｃ20アルキル、ＯＲ11又はハロゲンであるか；あるいはそれぞれの場合に、基Ｒ1、Ｒ2、Ｒ3、Ｒ4及び／又はＲ5の二つは、一緒になって、Ｃ1−Ｃ20アルキレン（これは、Ｏ、Ｓ又はＮＲ14により中断されていることができる）を形成し；
Ｒ6、Ｒ7、Ｒ8、Ｒ9及びＲ10は、互いに独立して、水素、Ｃ1−Ｃ20アルキル；Ｃ2−Ｃ20アルキル（これは、非連続Ｏ原子により１回以上中断され、ＯＨ及び／又はＳＨにより置換されていることができる）であるか；あるいはＲ6、Ｒ7、Ｒ8、Ｒ9及びＲ10は、ＯＲ11、フェニル又はハロゲンであり；
Ｒ11は、水素、Ｃ1−Ｃ20アルキル、Ｃ2−Ｃ20アルケニル、Ｃ3−Ｃ8シクロアルキル、フェニル、ベンジル又はＣ2−Ｃ20アルキル（これは、非連続Ｏ原子により１回以上中断され、非置換又はＯＨ及び／又はＳＨにより置換されている）であり；
Ｙ1は、Ｃ1−Ｃ18アルキル（これは、非置換又は１個以上のフェニルにより置換されている）；Ｃ1−Ｃ18−ハロゲノアルキル；Ｃ2−Ｃ18アルキル（これは、Ｏ又はＳにより１回以上中断され、非置換又はＯＨ及び／又はＳＨにより置換されている）；非置換Ｃ3−Ｃ18シクロアルキル又はＣ3−Ｃ18シクロアルキル（これは、Ｃ1−Ｃ20アルキル、ＯＲ11、ＣＦ3又はハロゲンにより置換されている）；Ｃ2−Ｃ18アルケニル；ナフチル、ビフェニリル、アントラシル、あるいはＯ−、Ｓ−若しくはＮ−含有の５−又は６−員複素環であり、ここで基ナフチル、ビフェニリル、アントラシル、あるいはＯ−、Ｓ−若しくはＮ−含有の５−若しくは６−員複素環は、非置換又はハロゲン、Ｃ1−Ｃ4アルキル及び／又はＣ1−Ｃ4アルコキシで置換されており；あるいは
Ｙ1は、ＯＲ11、Ｎ（Ｒ16）（Ｒ17）、又は下記式：
【化５】
2001270894.tif 000005
の基であり；
Ｙ2は、直接結合、Ｃ1−Ｃ18アルキレン（場合により、フェニルにより置換されている）；非置換Ｃ4−Ｃ18−シクロアルキレン又はＣ4−Ｃ18シクロアルキレン（これは、Ｃ1−Ｃ12アルキル、ＯＲ11、ハロゲン及び／又はフェニルにより置換されている）；非置換Ｃ5−Ｃ18シクロアルケニレン又はＣ5−Ｃ18シクロアルケニレン（これは、Ｃ1−Ｃ12アルキル、ＯＲ11、ハロゲン及び／又はフェニルにより置換されている）；非置換フェニレン又はフェニレン（これは、Ｃ1−Ｃ12アルキル、ＯＲ11、ハロゲン、−（ＣＯ）ＯＲ14、−（ＣＯ）Ｎ（Ｒ12）（Ｒ13）及び／又はフェニルにより１〜４回置換されている）であるか；あるいは
Ｙ2は、下記式：
【化６】
2001270894.tif 000006
の基であり、ここで、これらの基は、非置換又は１方若しくは両方の芳香環上において、Ｃ1−Ｃ12アルキル、ＯＲ11、ハロゲン及び／又はフェニルにより１〜４回置換されており；
Ｙ3は、Ｏ、Ｓ、ＳＯ、ＳＯ2、ＣＨ2、Ｃ（ＣＨ3）2、ＣＨＣＨ3、Ｃ（ＣＦ3）2、（ＣＯ）又は直接結合であり；
Ｒ12及びＲ13は、互いに独立して、水素、Ｃ1−Ｃ20アルキル、Ｃ3−Ｃ8シクロアルキル、フェニル、ベンジル又はＣ2−Ｃ20アルキル（これは、Ｏ又はＳにより１回以上中断され、非置換又はＯＨ及び／又はＳＨにより置換されている）であるか；あるいはＲ12とＲ13は、一緒になって、Ｃ3−Ｃ5アルキレン（これは、Ｏ、Ｓ又はＮＲ14により中断されていることができる）であり；
Ｒ14は、水素、フェニル、Ｃ1−Ｃ12アルキル又はＣ2−Ｃ12アルキル（これは、Ｏ又はＳにより１回以上中断され、非置換又はＯＨ及び／又はＳＨにより置換されている）であり；
Ｒ1′及びＲ2′は、互いに独立して、Ｒ1及びＲ2と同義であり；そして
Ｒ3′、Ｒ4′及びＲ5′は、互いに独立して、Ｒ3、Ｒ4及びＲ5と同義であるが；
但し
Ｙ1が、下記式：
【化７】
2001270894.tif 000007
の基、ナフチル、ビフェニリル、アントラシル、あるいはＯ−、Ｓ−若しくはＮ−含有の５−又は６−員複素環であるならば、これは、リン原子上で他のベンゾイル基と同一ではない）で示される化合物。
【請求項３】  式（III）：
【化８】
2001270894.tif 000008
（式中、
Ａは、Ｏ又はＳであり；
ｘは、０又は１であり；
Ａｒは、下記式：
【化９】
2001270894.tif 000009
の基；あるいはＡｒは、シクロペンチル、シクロヘキシル、ナフチル、ビフェニリル、アントラシル、あるいはＯ−、Ｓ−若しくはＮ−含有の５−又は６−員複素環であり、ここで、基シクロペンチル、シクロヘキシル、ナフチル、ビフェニリル、アントラシル、あるいはＯ−、Ｓ−若しくはＮ−含有の５−又は６−員複素環は、非置換又はハロゲン、Ｃ1−Ｃ4アルキル及び／又はＣ1−Ｃ4アルコキシにより置換されており；
Ｒ1及びＲ2は、互いに独立して、Ｃ1−Ｃ20アルキル、ＯＲ11、ＣＦ3又はハロゲンであり；
Ｒ3、Ｒ4及びＲ5は、互いに独立して、水素、Ｃ1−Ｃ20アルキル、ＯＲ11又はハロゲンであるか、あるいはそれぞれの場合に、基Ｒ1、Ｒ2、Ｒ3、Ｒ4及び／又はＲ5の二つは、一緒になって、Ｃ1−Ｃ20アルキレン（これは、Ｏ、Ｓ又はＮＲ14により中断されていることができる）であり；
Ｒ6、Ｒ7、Ｒ8、Ｒ9及びＲ10は、互いに独立して、水素、Ｃ1−Ｃ20アルキル；Ｃ2−Ｃ20アルキル（これは、非連続Ｏ原子により１回以上中断され、非置換又はＯＨ及び／又はＳＨにより置換されている）であるか；あるいはＲ6、Ｒ7、Ｒ8、Ｒ9及びＲ10は、ＯＲ11；ハロゲン又は非置換フェニル若しくはフェニル（これは、Ｃ1−Ｃ4アルキルにより１回以上置換されている）であり；
Ｒ11は、水素、Ｃ1−Ｃ20アルキル、Ｃ2−Ｃ20アルケニル、Ｃ3−Ｃ8シクロアルキル、フェニル、ベンジル又はＣ2−Ｃ20アルキル（これは、非連続Ｏ原子により１回以上中断され、非置換又はＯＨ及び／又はＳＨにより置換されている）であり；
Ｚ1は、Ｃ1−Ｃ24アルキル（これは、非置換又はＯＲ15、ＳＲ15、Ｎ（Ｒ16）（Ｒ17）、フェニル、ハロゲン、ＣＮ、ＮＣＯ、下記式：
【化１０】
2001270894.tif 000010
の基により１回以上置換されている）であるか；あるいはＺ1は、Ｃ2−Ｃ24アルキル（これは、Ｏ、Ｓ又はＮＲ14により１回以上中断され、非置換又はＯＲ15、ＳＲ15、Ｎ（Ｒ16）（Ｒ17）、フェニル、ハロゲン、下記式：
【化１１】
2001270894.tif 000011
の基により１回以上置換されている）であるか；あるいはＺ1は、Ｃ1−Ｃ24アルコキシ（これは、フェニル、ＣＮ、ＮＣＯ、下記式：
【化１２】
2001270894.tif 000012
の基により１回以上置換されている）であるか；あるいはＺ1は、下記式：
【化１３】
2001270894.tif 000013
の基であるか；あるいはＺ1は、非置換Ｃ3−Ｃ24−シクロアルキル又はＣ3−Ｃ24シクロアルキル（これは、Ｃ1−Ｃ20アルキル、ＯＲ11、ＣＦ3又はハロゲンにより置換されている）；非置換Ｃ2−Ｃ24アルケニル又はＣ2−Ｃ24−アルケニル（これは、Ｃ6−Ｃ12アリール、ＣＮ、（ＣＯ）ＯＲ15又は（ＣＯ）Ｎ（Ｒ18）2により置換されている）であるか；あるいはＺ1は、Ｃ3−Ｃ24シクロアルケニル又は下記式：
【化１４】
2001270894.tif 000014
の基の一つであるか；あるいはＺ1は、Ｃ1−Ｃ24アルキルチオ（ここで、アルキル基は、非中断又は非連続Ｏ原子若しくはＳ原子により１回以上中断され、非置換又はＯＲ15、ＳＲ15及び／又はハロゲンにより置換されている）であり；
Ａ1は、Ｏ、Ｓ又はＮＲ18aであり；
Ｚ2は、Ｃ1−Ｃ24アルキレン；Ｃ2−Ｃ24アルキレン（これは、Ｏ、Ｓ又はＮＲ14により１回以上中断されている）；Ｃ2−Ｃ24アルケニレン；Ｃ2−Ｃ24アルケニレン（これは、Ｏ、Ｓ又はＮＲ14により１回以上中断されている）；Ｃ3−Ｃ24シクロアルキレン；Ｃ3−Ｃ24シクロアルキレン（これは、Ｏ、Ｓ又はＮＲ14により１回以上中断されている）；Ｃ3−Ｃ24シクロアルキレン；Ｃ3−Ｃ24シクロアルケニレン（これは、Ｏ、Ｓ又はＮＲ14により１回以上中断されている）であり；
ここで、基Ｃ1−Ｃ24アルキレン、Ｃ2−Ｃ24アルキレン、Ｃ2−Ｃ24アルケニレン、Ｃ3−Ｃ24シクロアルキレン及びＣ3−Ｃ24シクロアルケニレンは、非置換又はＯＲ11、ＳＲ11、Ｎ（Ｒ12）（Ｒ13）及び／又はハロゲンにより置換されている；あるいは
Ｚ2は、下記式：
【化１５】
2001270894.tif 000015
の基（ここで、これらの基は、非置換又は芳香環上にＣ1−Ｃ20アルキル；Ｃ2−Ｃ20アルキル（これは、非連続Ｏ原子により１回以上中断され、非置換又はＯＨ 及び／又はＳＨにより置換されている）；ＯＲ11、ＳＲ11、Ｎ（Ｒ12）（Ｒ13）、フェニル、ハロゲン、ＮＯ2、ＣＮ、（ＣＯ）−ＯＲ18、（ＣＯ）−Ｒ18、（ＣＯ）−Ｎ（Ｒ18）2、ＳＯ2Ｒ24、ＯＳＯ2Ｒ24、ＣＦ3及び／又はＣＣｌ3により置換されている）の一つであるか；あるいは
Ｚ2は、下記式：
【化１６】
2001270894.tif 000016
の基であり；
Ｚ3は、ＣＨ2、ＣＨＣＨ3又はＣ（ＣＨ3）2であり；
Ｚ4は、Ｓ、Ｏ、ＣＨ2、Ｃ＝Ｏ、ＮＲ14又は直接結合であり；
Ｚ5は、Ｓ、Ｏ、ＣＨ2、ＣＨＣＨ3、Ｃ（ＣＨ3）2、Ｃ（ＣＦ3）2、ＣＯ、ＳＯ、ＳＯ2であり；
Ｚ6及びＺ7 は、互いに独立して、ＣＨ2、ＣＨＣＨ3又はＣ（ＣＨ3）2であり；
ｒは、０、１又は２であり；
ｓは、１〜１２の数であり；
ｑは、０〜５０の数であり；
ｔ及びｐは、それぞれ０〜２０の数であり；
Ｅ、Ｇ、Ｇ3及びＧ4は、互いに独立して、非置換Ｃ1−Ｃ12アルキル又はＣ1−Ｃ12アルキル（これは、ハロゲンにより置換されている）であるか、あるいは非置換フェニル又はフェニル（これは、１個以上のＣ1−Ｃ4アルキルにより置換されている）であり；
Ｒ11aは、Ｃ1−Ｃ20アルキル（ＯＲ15、ハロゲン又は下記式：
【化１７】
2001270894.tif 000017
の基により１回以上置換されている）であるか；あるいはＣ2−Ｃ20アルキル（これは、非連続Ｏ原子により１回以上中断され、場合によりＯＲ15、ハロゲン、又は下記式：
【化１８】
2001270894.tif 000018
の基により１回以上置換されている）であるか；あるいはＣ2−Ｃ20アルケニル又はＣ3−Ｃ12アルキニルであるか；あるいはＣ3−Ｃ12シクロアルキル（これは、Ｃ1−Ｃ6アルキル又はハロゲンにより１回以上置換されている）であるか；あるいはＣ6−Ｃ12アリール（これは、場合により、ハロゲン、ＮＯ2、Ｃ1−Ｃ6アルキル、ＯＲ11又はＣ（Ｏ）ＯＲ18により１回以上置換されている）であるか；あるいはＣ7−Ｃ16アリールアルキル又はＣ8−Ｃ16アリールシクロアルキルであり；
Ｒ14は、水素、フェニル、Ｃ1−Ｃ12アルコキシ、Ｃ1−Ｃ12アルキル又はＣ2−Ｃ12アルキル（これは、Ｏ又はＳにより１回以上中断され、非置換又はＯＨ及び／又はＳＨにより置換されている）であり；
Ｒ15は、Ｒ11と同義であるか、あるいは下記式：
【化１９】
2001270894.tif 000019
の基であり；
Ｒ16及びＲ17は、互いに独立して、Ｒ12と同義であるか、あるいは下記式：
【化２０】
2001270894.tif 000020
の基であり；
Ｒ18は、水素、Ｃ1−Ｃ24アルキル、Ｃ2−Ｃ12アルケニル、Ｃ3−Ｃ8シクロアルキル、フェニル、ベンジル；Ｃ2−Ｃ20アルキル（これは、Ｏ又はＳにより１回以上中断され、非置換又はＯＨにより置換されている）であり；
Ｒ18a及びＲ18bは、互いに独立して、水素、Ｃ1−Ｃ20アルキル（これは、ＯＲ15、ハロゲン、スチリル、メチルスチリル、−Ｎ＝Ｃ＝Ａ又は下記式：
【化２１】
2001270894.tif 000021
の基で１回以上置換されている）であるか；あるいはＣ2−Ｃ20アルキル（これは、非連続Ｏ原子により１回以上中断され、場合によりＯＲ15、ハロゲン、スチリル、メチルスチリル又は下記式：
【化２２】
2001270894.tif 000022
の基により１回以上置換されている）であるか；あるいはＣ2−Ｃ12アルケニルであるか；あるいはＣ5−Ｃ12シクロアルキル（これは、−Ｎ＝Ｃ＝Ａ又は−ＣＨ2−Ｎ＝Ｃ＝Ａにより置換され、場合により更にＣ1−Ｃ4アルキルにより１回以上置換されている）であるか；あるいはＣ6−Ｃ12アリール（これは、場合によりハロゲン、ＮＯ2、Ｃ1−Ｃ6アルキル、Ｃ2−Ｃ4アルケニル、ＯＲ11、−Ｎ＝Ｃ＝Ａ、−ＣＨ2−Ｎ＝Ｃ＝Ａ又はＣ（Ｏ）ＯＲ18により１回以上置換されている）であるか；あるいはＣ7−Ｃ16アリールアルキルであるか；あるいは両方の基Ｒ18a及びＲ18bは、一緒に、Ｃ8−Ｃ16アリールシクロアルキルであるか；あるいはＲ18a及びＲ18bは、互いに独立して、下記式：
【化２３】
2001270894.tif 000023
の基であり；
Ｙ3は、Ｏ、Ｓ、ＳＯ、ＳＯ2、ＣＨ2、Ｃ（ＣＨ3）2、ＣＨＣＨ3、Ｃ（ＣＦ3）2、（ＣＯ）、又は直接結合であり；
Ｒ19、Ｒ20、Ｒ21、Ｒ22及びＲ23は、Ｒ6の意味の一つであるか、あるいはＮＯ2、ＣＮ、ＳＯ2Ｒ24、ＯＳＯ2Ｒ24、ＣＦ3、ＣＣｌ3又はハロゲンであり；
Ｒ24は、Ｃ1−Ｃ12アルキル、ハロゲン−置換Ｃ1−Ｃ12アルキル、フェニル、又はフェニル（これは、ＯＲ15及び／又はＳＲ15により置換されている）であるが；
但し
Ｚ1が、下記式：
【化２４】
2001270894.tif 000024
の基であるならば、これは、リン原子上の、他の下記式：
【化２５】
2001270894.tif 000025
の芳香族基と同一ではない）で示される化合物。
【請求項４】  請求項１記載の式（Ｉ）の化合物の選択的製造方法であって、
（１）式（IV）：
【化２６】
2001270894.tif 000026
（式中、
Ａｒは、請求項１と同義であり、そして
Ｘは、Ｃｌ又はＢｒである）のアシルハライドと、式（Ｖ）：
【化２７】
2001270894.tif 000027
（式中、
Ｒ6、Ｒ7、Ｒ8、Ｒ9及びＲ10は、請求項１と同義であり、そして
Ｍ1は、Ｎａ、Ｌｉ又はＫである）のジメタル化アリールホスフィンを、モル比１：１で反応させ；そして
（２）適切ならば、Ｍが水素である式（Ｉ）の化合物が得られるべきならば、引き続く加水分解により得る方法。
【請求項５】  請求項２記載の式（II）の化合物の製造方法であって、
（１）式（IV）：
【化２８】
2001270894.tif 000028
（式中、
Ａｒは、請求項２と同義であり、そして
Ｘは、Ｃｌ又はＢｒである）のアシルハライドと、式（Ｖ）：
【化２９】
2001270894.tif 000029
（式中、
Ｒ6、Ｒ7、Ｒ8、Ｒ9及びＲ10は、請求項２と同義であり、そして
Ｍ1は、Ｎａ、Ｌｉ又はＫである）のジメタル化アリールホスフィンを、モル比１：１で反応させ；そして
（２）生成物を、式（IVａ）：
【化３０】
2001270894.tif 000030
（式中、
Ｙ1は、請求項２と同義であり、そして
Ｘは、上記と同義である）のアシルハライド（但し、式（IV）のアシルハライドは、式（IVａ）のアシルハライドと同一ではない）と、ほぼ１：１のモルで、引き続き反応させ、そして
（３）Ａが酸素又は硫黄である式（II）の化合物が得られるべきであれば、得られたホスフィン化合物の引き続く酸化又はチオ化により得る方法。
【請求項６】  Ａが酸素であり、そしてＸが１である式（II）の化合物の製造方法であって、
（１）請求項１の式（Ｉ）：
【化３１】
2001270894.tif 000031
（式中、
Ａｒ、Ｍ、Ｒ6、Ｒ7、Ｒ8、Ｒ9及びＲ10は、請求項１記載と同義である）の化合物を、ホスゲンと反応させ、式（Ｉi）：
【化３２】
2001270894.tif 000032
の相当するホスフインクロリドを得、
（２）アルコールと引き続き反応させて、式（Ｉii）：
【化３３】
2001270894.tif 000033
（式中、
Ｒは、アルコールの基である）の化合物を得、そして
（３）得られた式（Ｉii）の化合物を、下記式：
【化３４】
2001270894.tif 000034
（式中、
Ｙ1は、請求項２と同義であるが、式（Ｉ）からのＡｒと同一ではなく、そして
Ｘは、Ｃｌ又はＢｒである）のアシルハライドと反応させ、式（II）の化合物を得る方法。
【請求項７】  式（III）の化合物の製造方法であって、
（１）式（IV）：
【化３５】
2001270894.tif 000035
（式中、
Ａｒは、請求項３と同義であり、そして
Ｘは、Ｃｌ又はＢｒである）のアシルハライドを、式（Ｖ）：
【化３６】
2001270894.tif 000036
（式中、
Ｒ6、Ｒ7、Ｒ8、Ｒ9及びＲ10は、請求項１と同義であり；そして
Ｍ1は、Ｎａ、Ｌｉ又はＫである）のジメタル化アリールホスフィンと、ほぼ１：１のモル比で反応させ、
（２）生成物を、式（VI）：
【化３７】
2001270894.tif 000037
（式中、
Ｚ1は、請求項３と同義であるが、基（ｖ）、（ｗ）及びＣ1−Ｃ24アルキルチオを除き、そして
Ｘは、上記と同義であるが；但し
Ｚ1が下記式：
【化３８】
2001270894.tif 000038
の基であるならば、これは、式（Ｖ）の下記式：
【化３９】
2001270894.tif 000039
の基と同一ではない）の化合物と、ほぼ１：１のモル比で、引き続き反応させ、（３）Ａが酸素又は硫黄である式（II）の化合物が得られるべきであれば、得られたホスフィン化合物の引き続く酸化又はチオ化により得る方法。
【請求項８】  請求項３記載の、Ｚ1がＣ1−Ｃ24アルキルである、式（III）の化合物の製造方法であって、
（１）式（IV）：
【化４０】
2001270894.tif 000040
（式中、
Ａｒは、請求項３と同義であり、そして
Ｘは、Ｃｌ又はＢｒである）のアシルハライドを、式（VII）：
【化４１】
2001270894.tif 000041
（式中、
Ｒ6、Ｒ7、Ｒ8、Ｒ9及びＲ10は、請求項１と同義であり、そして
Ｚ1′は、Ｃ1−Ｃ24アルキルである）の非対称ホスフィンと、塩基の存在下、ほぼ１：１のモル比で反応させ、対応するアシルホスフィンを得；
（２）このようにして得たアシルホスフィンの引きつづく酸化又はチオ化により得る方法。
【請求項９】  Ａが酸素であり、そしてｘが１である式（III）の化合物の製造方法であって、
（１）請求項１の式（Ｉ）：
【化４２】
2001270894.tif 000042
（式中、
Ａｒ、Ｍ、Ｒ6、Ｒ7、Ｒ8、Ｒ9及びＲ10は、請求項３記載と同義である）の化合物を、ホスゲンと反応させ、式（Ｉi）：
【化４３】
2001270894.tif 000043
の相当するホスフインクロリドを得、
（２）アルコールと引き続き反応させて、式（Ｉii）：
【化４４】
2001270894.tif 000044
（式中、
Ｒは、アルコールの基である）の化合物を得、そして
（３）得られた式（Ｉii）の化合物を、下記式：
【化４５】
2001270894.tif 000045
（式中、
Ｚ1は、請求項３と同義であるが、式（Ｉ）からのＡｒと同一ではなく、そして
Ｘは、Ｃｌ又はＢｒである）のオルガノハライドと反応させ、式（III）の化合物を得る方法。
【請求項１０】  （ａ）少なくとも１種のエチレン性不飽和光重合性化合物、及び
（ｂ）光開始剤として、少なくとも１種の式（II）又は（III）の化合物を含む、光硬化性組成物。
【請求項１１】  少なくとも１種のエチレン性不飽和二重結合を有する、不揮発性の、モノマー性、オリゴマー性又はポリマー性化合物の光重合方法であって、請求項１０記載の組成物を、２００〜６００nmの範囲の光で照射することを特徴とする方法。
【請求項１２】  少なくとも一方の表面を、請求項１０記載の組成物で被覆されている被覆された基材。
【請求項１３】  請求項１２記載の被覆された基材を、画像様暴露に付し、次いで非暴露部分を、溶媒で除く、レリーフ画像の写真的製造方法。
【手続補正２】
【補正対象書類名】明細書
【補正対象項目名】００８４
【補正方法】変更
【補正の内容】
【００８４】
（式中、
Ｒ6、Ｒ7、Ｒ8、Ｒ9及びＲ10は、上記と同義であり、そして
Ｍ1は、Ｎａ、Ｌｉ又はＫである）のジメタル化アリールホスフィンを、モル比１：１で反応させ；そして
（２）適切ならば、Ｍが水素である式（Ｉ）の化合物が得られるべきならば、引き続く加水分解により得る方法を提供する。
【手続補正３】
【補正対象書類名】明細書
【補正対象項目名】０１２８
【補正方法】変更
【補正の内容】
【０１２８】
（式中、
Ｒ6、Ｒ7、Ｒ8、Ｒ9及びＲ10は、上記と同義であり、そして
Ｍ1は、Ｎａ、Ｌｉ又はＫである）のジメタル化アリールホスフィンを、モル比１：１で反応させ；そして
（２）生成物を、式（IVａ）：
【手続補正４】
【補正対象書類名】明細書
【補正対象項目名】０１７６
【補正方法】変更
【補正の内容】
【０１７６】
の基により１回以上置換されている）であるか；あるいはＣ2−Ｃ12アルケニルであるか；あるいはＣ5−Ｃ12シクロアルキル（これは、−Ｎ＝Ｃ＝Ａ又は−ＣＨ2−Ｎ＝Ｃ＝Ａにより置換され、場合により更にＣ1−Ｃ4アルキルにより１回以上置換されている）であるか；あるいはＣ6−Ｃ12アリール（これは、場合によりハロゲン、ＮＯ2、Ｃ1−Ｃ6アルキル、Ｃ2−Ｃ4アルケニル、ＯＲ11、−Ｎ＝Ｃ＝Ａ、−ＣＨ2−Ｎ＝Ｃ＝Ａ又はＣ（Ｏ）ＯＲ18により１回以上置換されている）であるか；あるいはＣ7−Ｃ16アリールアルキルであるか；あるいは両方の基Ｒ18a及びＲ18bは、一緒に、Ｃ8−Ｃ16アリールシクロアルキルであるか；あるいはＲ18a及びＲ18bは、互いに独立して、下記式：
【手続補正５】
【補正対象書類名】明細書
【補正対象項目名】０２２７
【補正方法】変更
【補正の内容】
【０２２７】
（式中、
Ｒ6、Ｒ7、Ｒ8、Ｒ9及びＲ10は、上記と同義であり；そして
Ｍ1は、Ｎａ、Ｌｉ又はＫである）のジメタル化アリールホスフィンと、ほぼ１：１のモル比で反応させ、
（２）生成物を、式（VI）：